(57)【要約】【課題】搭載される無線装置の検査時間短縮を図り、高安定した周波数を発振できる水晶発振器及び無線装置を提供する。【解決手段】本発明の高安定水晶発振器１００は、外部入力端子１と、外部入力端子１に接続され、水晶振動子３を有する発振回路４と、を備え、発振回路４に電力供給可能な内部バッテリー回路６を備えた構成となっている。【選択図】図１
2010258775.tif 000002
【特許請求の範囲】
【請求項１】
外部入力端子と、
前記外部入力端子に接続され、水晶振動子を有する発振回路と、を備え、
前記発振回路に電力供給可能な内部バッテリー回路を備えたことを特徴とする水晶発振器。
【請求項２】
前記外部入力端子からの電力と前記内部バッテリー回路からの電力を合成するＯＲ回路を備えたことを特徴とする請求項１記載の水晶発振器。
【請求項３】
前記発振回路の出力信号を前記外部出力端子に出力する制御回路と、
前記制御回路に対して前記外部入力端子または前記内部バッテリー回路から入力される電力を供給する検出回路と、を備え、
前記検出回路は、前記外部入力端子からの入力がないときには、前記内部バッテリー回路からの入力電力を前記制御回路に供給し、
前記制御回路は、前記内部バッテリー回路から電力が供給されたときに、前記外部出力端子を切断状態とすることを特徴とする請求項１または２記載の水晶発振器。
【請求項４】
請求項１ないし３のいずれか一項に記載の水晶発振器を備えたこと
を特徴とする無線装置。
【発明の詳細な説明】
【技術分野】
【０００１】
本発明は、無線装置に搭載される水晶発振器に関し、特に無線装置の検査時間短縮を図ることが可能な水晶発振器及び無線装置に関するものである。
【背景技術】
【０００２】
通常、無線装置（以下、無線基地局装置とする）は、無線基地局制御装置に接続されている伝送路からの抽出クロック信号に同期して動作している。無線基地局制御装置には周波数安定度の非常に高い水晶発振器を搭載しているため、無線基地局制御装置から送られてくる伝送路からの抽出クロック信号に同期させるように動作させれば、無線基地局装置に搭載される水晶発振器も出力周波数安定度を高く保ち続けることが可能であるが、無線基地局装置と無線基地局制御装置との伝送路にＩＰ（Internet Protocol）伝送路を使用する場合がある。
【０００３】
この場合、無線基地局装置は伝送路からの抽出クロック信号に同期するように動作させることができないため、装置内に搭載された水晶発振器が自走して動作することになる。従って、このようなネットワーク環境下で使用される可能性を考慮すると、無線基地局装置に搭載される水晶発振器にも無線基地局制御装置に搭載される水晶発振器と同様に、高安定水晶発振器を搭載する必要性が発生し、一般的には高安定な恒温槽付水晶発振器（ＯＣＸＯ）が搭載されていることが多い。
【０００４】
しかしながら、従来の高安定水晶発振器には以下の問題がある。
例えば、部品供給メーカーで基準周波数Ｆ０に調整され出荷された高安定水晶発振器は、無線基地局装置の製造工場で無線基地局装置に搭載されるまでの間、電源ＯＦＦの状態になっている。高安定水晶発振器は、電源ＯＮしてから出力周波数が安定するまでに相当の時間を要することから、一般的に部品供給メーカーの周波数経年変化規定は電源投入数日後（例えば１０日後）の出力周波数を基準とすることになっている。
【０００５】
一方、無線基地局装置の製造工場では、無線基地局装置搭載後の装置検査に数日間も費やすことは現実的には難しく、検査時間の短縮が大きな課題となっているが、検査時間を短縮すると高安定水晶発振器の出力周波数が安定していない状態である可能性が高いため、単純に検査時間を短縮するとその時点での高安定水晶発振器の出力周波数が基準となり、高安定水晶発振器の出力周波数のばらつきが周波数経年変化の規定に影響してしまうと言う問題があった。
【０００６】
特に近年では、高安定水晶発振器に要求される周波数経年変化規定が非常に厳しくなっているため、高安定水晶発振器の出力周波数のばらつき量が無視できなくなってきている。
【０００７】
そこで、二次電池を具備することで電源ＯＦＦ時にも水晶発振器に対する電圧供給が可能な構成が開示されている。このような無線基地局装置として、例えば特許文献１がある。特許文献１では、外部電源端子からの入力電圧がない場合は二次電池から電圧を供給し、外部電源端子からの入力電圧がある場合は二次電池からの電圧供給を停止することによって、メインスイッチの瞬断時にも、待ち時間を費やすことなく安定した周波数を発振することが可能となっている。
【先行技術文献】
【特許文献】
【０００８】
【特許文献１】特開２００７−０８８７２９号公報
【発明の概要】
【発明が解決しようとする課題】
【０００９】
しかしながら特許文献１の場合、瞬間的な電源ＯＦＦには対応できるものの、製造工場から無線基地局装置に搭載されるまでの長時間の間、水晶発振器を駆動させることは難しい。長時間の停止にも対応させようとすると、二次電池の容量を増加させる必要があり、装置が大型化することになる。
【００１０】
本発明は、上記従来技術の問題点に鑑み成されたものであって、無線装置の検査時間短縮を図り、高安定した周波数を発振できる水晶発振器及び無線装置を提供することを目的の一つとしている。
【課題を解決するための手段】
【００１１】
本発明の水晶発振器は、上記課題を解決するために、外部入力端子と、前記外部入力端子に接続され、水晶振動子を有する発振回路と、を備え、前記発振回路に電力供給可能な内部バッテリー回路を備えたことを特徴とする。
【００１２】
本発明の無線装置は、上記課題を解決するために、上記水晶発振器を備えたことを特徴とする。
【発明の効果】
【００１３】
本発明によれば、電源ＯＦＦ時においても内部バッテリー回路からの電力の供給が持続されるので、電源ＯＮ時に安定した周波数を得ることができる。これにより、電源ＯＮ後の出力周波数の安定時間を気にすることがなくなるので、長時間に亘って電源ＯＦＦ状態であっても対応することができる。よって、無線装置に搭載した際、電源の投入後すぐに安定した周波数を得ることができるので、該装置の検査時間を短縮することが可能になる。
【図面の簡単な説明】
【００１４】
【図１】本発明に係る水晶発振器の構成を示すブロック図。
【図２】本発明に係る水晶発振器を備えた無線基地局装置を示す概略構成図。
【発明を実施するための形態】
【００１５】
以下、本発明の実施形態につき、図面を参照して説明する。なお、以下の説明に用いる各図面では、各部材を認識可能な大きさとするため、各部材の縮尺を適宜変更している。
【００１６】
図１に、本発明に係る水晶発振器の構成を示す。
図１に示すように、高安定水晶発振器１００は、水晶振動子３、発振回路４、およびバッファ回路５を主として構成され、さらに、外部入力端子１、外部出力端子２、水晶振動子３、内部バッテリー回路６、ＯＲ回路７、検出回路８、制御回路９を備えている。
【００１７】
発振回路４は、外部入力端子１に接続され、水晶振動子３を有して構成され、水晶振動子３を機械的に励振してその振動を持続させる機能を有する。
バッファ回路５は、取り出した電気信号を必要な信号レベルに増幅するとともに外部付加回路の影響を緩和する機能を有している。
ＯＲ回路７は、外部入力端子１からの入力電圧と内部バッテリー回路６からの電圧を合成する。
【００１８】
検出回路８は、外部入力端子１からの入力電圧の有無を検出する機能を有しており、制御回路９に対して外部入力端子１または内部バッテリー回路６のいずれかから入力される電力を供給する。すなわち、外部入力端子１からの入力電圧を検出した場合には制御回路９に対する内部バッテリー回路６からの電圧供給を停止し、外部入力端子１からの入力電圧を検出しない場合には、制御回路９に対して内部バッテリー回路６からの電圧供給を開始するように動作する。
【００１９】
制御回路９は、検出回路８からの信号により高安定水晶発振器１００の内部と外部の接続状態を制御する。具体的には、外部入力端子１からの入力電圧の信号を受けた場合には外部出力端子２を接続状態にし、外部入力端子１からの入力電圧がない場合には外部出力端子２を切断状態とするように制御する。
【００２０】
本発明によれば、部品供給メーカーで基準周波数Ｆ０に調整されて出荷された高安定水晶発振器１００は、後述の無線基地局装置の製造工場で無線基地局装置（無線装置）に搭載されるまでの間、内部バッテリー回路６により電源供給が継続されて電源ＯＦＦ状態になることがない。このため、電源をＯＮにした後の高安定水晶発振器１００の出力周波数の安定時間を気にする必要がなくなる。すなわち、高安定水晶発振器１００の出力周波数のばらつきが抑えられた状態で、周波数経年変化規定の基準点（基準日数）を早くすることができるので、無線基地局装置の検査時間を短縮することが可能になる。
【００２１】
本発明の効果を具体的な動作例で説明する。
上述したように、部品供給メーカーで基準周波数Ｆ０に調整されて出荷された高安定水晶発振器１００は、無線基地局装置の製造工場で無線基地局装置に搭載されるまでの間、電源ＯＦＦの状態になっている。高安定水晶発振器１００は、電源をＯＮにしてから出力周波数が安定するまでに相当の時間を要することから、一般的に部品供給メーカーの周波数経年変化規定は、電源を投入してから数日後の出力周波数を基準とすることになっている。
【００２２】
例えば、部品供給メーカーの周波数経年変化の規定が、電源を投入してから１０日後の出力周波数を基準とすると仮定する。無線基地局装置の製造工場では、無線基地局装置に高安定水晶発振器１００を搭載してから装置の検査を行うまでに１０日間も費やすことは現実的に難しい。このため、無線基地局装置に高安定水晶発振器１００を搭載してから装置検査を始めるまで、電源を投入してから３日後の出力周波数を基準に実施すると仮定する。
【００２３】
この場合、本来であれば電源を投入して１０日後に出力周波数Ｆ０になるのに対し、本実施形態では、電源を投入してから３日後を基準に無線基地局装置の検査を開始するため、電源を投入して３日後から１０日後までの周波数変動量ΔＦが装置検査後の周波数変動量として見えてしまう。周波数変動量ΔＦは不確定なものであり、場合によってはこの周波数変動量ΔＦにより周波数経年変化規定を満足できなくなる可能性がある。
【００２４】
これに対して、本実施形態では、内部バッテリー回路６により発振回路４への電源の供給が可能なため、部品供給メーカーで高安定水晶発振器１００を基準周波数Ｆ０に調整後、無線基地局装置の製造工場で無線基地局装置に搭載されるまで発振回路４は駆動状態にある。このため、高安定水晶発振器１００の出力周波数を常時安定した状態に保つことができ、無線基地局装置の電源をＯＮにした後の出力周波数の安定時間やばらつきを気にする必要がなくなり、前述の周波数変動量ΔＦを限りなく小さくすることができる。
【００２５】
これにより、周波数経年変化規定の基準点を早くすることができ、無線基地局装置の検査時間を大幅に短縮することが可能となる。更には、経年変化特性の悪い高安定水晶発振器１００を装置検査時に判別できるという効果もある。
【００２６】
なお、無線基地局装置に搭載された後も、無線基地局装置の電源が投入されるまでは内部バッテリー回路６からの電圧供給が行われる。
【００２７】
（無線基地局装置）
図２は、本発明に係る無線基地局装置の一実施形態について簡単に説明する。
図２に示すように、本実施形態の無線基地局装置２００は、送受信用アンテナ２１、送受信部２２、制御部２３、及び上述した高安定水晶発振器１００等を主として構成され、さらにスイッチ２４および電源部２５を備えている。
【００２８】
無線基地局装置２００の電源が投入された場合、つまり、入力電源によりスイッチ２４がＯＮになると、電源部２５から高安定水晶発振器１００へ電圧が供給されて起動し、高安定水晶発振器１００をもとに無線基地局装置が動作し、出力信号が送受信部２２へと出力されて送信可能となる。
【００２９】
一方、入力電源がなくスイッチ２４がＯＦＦになると、高安定水晶発振器１００の起動電源が内部バッテリーに切り換えられてその駆動は継続した状態となる。
【００３０】
本実施形態の無線基地局装置２００は、上記高安定水晶発振器１００を備えたことにより、電源ＯＦＦの状態が長時間に亘ったとしても、電源を再びＯＮにした際にすぐ安定した周波数を得ることができるので、出力周波数の安定時間を費やすことなく検査を実施することが可能となる。
【００３１】
また、本来の無線基地局装置２００の仕様に則した安定した周波数で検査を行うことが可能となるので、異常を早期に発見でき、より具体的な対策をとることが出来る。その結果、装置不良の発生を防止することができ、信頼性の高い無線基地局装置２００とすることができる。
【００３２】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００３３】
例えば、上記無線基地局装置２００の構成は一例であってこれに限ったものではない。
【符号の説明】
【００３４】
１…外部入力端子、２…外部出力端子、３…水晶振動子、４…発振回路、５…バッファ回路、６…内部バッテリー回路、７…ＯＲ回路、８…検出回路、９…制御回路、２００…無線基地局装置
【図１】
2010258775.tif 000003
【図２】
2010258775.tif 000004